(57)【要約】【課題】　複数の撮像装置を用いた遠隔カメラシステムにおいて、各撮像装置により取得される画像データに付与される撮影時刻の情報と実際の撮影時刻とを一致させる。【解決手段】　デジタルカメラ１Ａをマスターカメラ、デジタルカメラ１Ｂ，１Ｃ，１Ｄをスレーブカメラに設定し、デジタルカメラ１Ａの撮影動作によりデジタルカメラ１Ｂ，１Ｃ，１Ｄにおいても撮影を行う。デジタルカメラ１Ａから時刻合わせ信号をデジタルカメラ１Ｂ，１Ｃ，１Ｄに送信し、デジタルカメラ１Ａの時刻にデジタルカメラ１Ｂ，１Ｃ，１Ｄの時刻を合わせ、合わせられた時刻に基づいて、撮影により取得された画像データに撮影日時情報を付与する。【選択図】　　　　　図１
2004140797.tif 000002
【特許請求の範囲】
【請求項１】
　時計を備え、撮影により取得された画像データに撮影日時情報を付与する複数の撮像装置をネットワークを介して連携させて操作する撮像装置制御方法において、
　全ての前記撮像装置の前記時計の時刻を所定の時刻に合わせる時刻合わせを行うことを特徴とする撮像装置制御方法。
【請求項２】
　前記複数の撮像装置のうちの一の撮像装置における所定の動作に基づいて前記時刻合わせを行うことを特徴とする請求項１記載の撮像装置制御方法。
【請求項３】
　時計を備え、撮影により取得された画像データに撮影日時情報を付与する複数の撮像装置をネットワークを介して連携させて操作する撮像装置制御装置において、
　全ての前記撮像装置の前記時計の時刻を所定の時刻に合わせる時刻合わせを行うタイマー手段を備えたことを特徴とする撮像装置制御装置。
【請求項４】
　前記タイマー手段は、前記複数の撮像装置のうちの一の撮像装置における所定の動作に基づいて前記時刻合わせを行う手段であることを特徴とする請求項３記載の撮像装置制御装置。
【請求項５】
　前記複数の撮像装置にそれぞれ設けられてなることを特徴とする請求項３または４記載の撮像装置制御装置。
【請求項６】
　時計を備え、撮影により取得された画像データに撮影日時情報を付与する複数の撮像装置をネットワークを介して連携させて操作する撮像装置制御方法をコンピュータに実行させるためのプログラムにおいて、
　全ての前記撮像装置の前記時計の時刻を所定の時刻に合わせる時刻合わせを行う手順を有するプログラム。
【請求項７】
　前記時刻合わせを行う手順は、前記複数の撮像装置のうちの一の撮像装置における所定の動作に基づいて前記時刻合わせを行う手順である請求項６記載のプログラム。
【発明の詳細な説明】
【技術分野】
【０００１】
　本発明は、例えば無線ＬＡＮのようなネットワークを介して接続された複数の撮像装置の動作を制御する撮像装置制御方法および装置並びに撮像装置制御方法をコンピュータに実行させるためのプログラムに関するものである。
【背景技術】
【０００２】
　遠隔地に設置されたカメラの映像をネットワークを介して鑑賞できるようにする遠隔カメラシステムが提案されている。このような遠隔カメラシステムは、単にカメラの映像を見ることができるだけでなく、カメラの向きやズーム倍率をも遠隔地から操作することができるものである。また、このような遠隔カメラシステムにおいて、１つのカメラから複数のカメラの動作を制御する方法も提案されている（例えば特許文献１参照）。
【特許文献１】特開２０００−１１３１６６号公報
【発明の開示】
【発明が解決しようとする課題】
【０００３】
　ところで、上記遠隔カメラシステムを、デジタルカメラに適用することも可能である。具体的には、複数のユーザの各々がデジタルカメラを所持している場合に、一のユーザがデジタルカメラを用いて撮影を行うと、他のユーザのデジタルカメラにおいても同時にあるいは連続して撮影を行わせることも可能である。このように、複数のデジタルカメラを連携させて操作することにより、様々なアングルから１つの被写体を同時に撮影することが可能となり、撮影の楽しみを広げることができる。また、複数のカメラによりそれぞれ取得された画像データを一元的に保管することにより、画像データの配布や画像データを用いてのアルバム作成等画像データの利用を容易に行うことが可能となる。
【０００４】
　このように、画像データを利用する場合には、例えば撮影日時順に画像データを並べ替える等して画像データを整理する必要がある。この画像データの並べ替えは画像データに付与された撮影時刻を表す撮影日時情報に基づいて行うことができる。しかしながら、上記遠隔カメラシステムは複数のデジタルカメラにおいて画像データを取得するものであるため、各デジタルカメラにおける時計の時刻合わせがされていないと、画像データを撮影日時順に並べた場合に、実際に撮影された順序と並べられた順序とが一致しなくなってしまう。
【０００５】
　本発明は上記事情に鑑みなされたものであり、画像データに付与される撮影日時情報により表される撮影時刻と、実際の撮影時刻のように基準となる時刻に基づいて計時された撮影時刻とを一致させることを目的とする。
【課題を解決するための手段】
【０００６】
　本発明による撮像装置制御方法は、時計を備え、撮影により取得された画像データに撮影日時情報を付与する複数の撮像装置をネットワークを介して連携させて操作する撮像装置制御方法において、
　全ての前記撮像装置の前記時計の時刻を所定の時刻に合わせる時刻合わせを行うことを特徴とするものである。
【０００７】
　「撮像装置」とは、被写体を撮影することにより被写体の画像を表すデジタルの画像データを取得する撮影専用のデジタルカメラのみならず、携帯電話やＰＤＡ等の通信機能を有する携帯端末装置に搭載されるデジタルカメラをも含む。
【０００８】
　「所定の時刻」とは、複数の撮像装置間で基準となる時刻であり、例えば標準時、複数の撮像装置のうちの一の撮像装置の時計の時刻等を用いることができる。
【０００９】
　なお、時刻合わせは、毎定時等、一定時間間隔に行ってもよいが、複数の撮像装置のうちの一の撮像装置における所定の動作に基づいて行ってもよい。
【００１０】
　「所定の動作」とは、動作を行う一の撮像装置の時計および他の撮像装置の時計の時刻を合わせるための動作であり、例えば、一の撮像装置のユーザが撮像装置に設けられた時刻合わせ用のボタン等を操作することにより、時刻合わせを行うための信号をネットワーク経由で全ての撮像装置に送信すること等をいう。
【００１１】
　本発明による撮像装置制御装置は、時計を備え、撮影により取得された画像データに撮影日時情報を付与する複数の撮像装置をネットワークを介して連携させて操作する撮像装置制御装置において、
　全ての前記撮像装置の前記時計の時刻を所定の時刻に合わせる時刻合わせを行うタイマー手段を備えたことを特徴とするものである。
【００１２】
　なお、本発明による撮像装置制御装置においては、前記タイマー手段を、前記複数の撮像装置のうちの一の撮像装置における所定の動作に基づいて前記時刻合わせを行う手段としてもよい。
【００１３】
　また、本発明による撮像装置制御装置は、前記複数の撮像装置にそれぞれ設けられてなるものとしてもよい。
【００１４】
　なお、本発明による撮像装置制御方法をコンピュータに実行させるためのプログラムとして提供してもよい。
【発明の効果】
【００１５】
　本発明によれば、全ての撮像装置の時刻が所定の時刻に合わせられるため、複数の撮像装置のそれぞれにより取得される画像データに付与される撮影日時情報により表される撮影時刻は、所定の時刻を基準として計時された撮影時刻と一致することとなる。したがって、画像データに付与された撮影日時情報に基づいて画像データの整理を行うことにより、実際に撮影された順序で正確に画像データを並べることができる。
【００１６】
　また、複数の撮像装置のうちの一の撮像装置における所定の動作に基づいて時刻合わせを行うことにより、複数の撮像装置のそれぞれにより取得される画像データに付与される撮影日時情報により表される撮影時刻と、所定の時刻を基準として計時された撮影時刻とを確実に一致させることができる。
【発明を実施するための最良の形態】
【００１７】
　以下図面を参照して本発明の実施形態について説明する。図１は本発明の実施形態による撮像装置制御装置を用いた遠隔カメラシステムの構成を示す概略ブロック図である。図１に示すように、本実施形態による遠隔カメラシステムは、複数（ここでは４台）のデジタルカメラ１Ａ，１Ｂ，１Ｃ，１Ｄおよびカメラサーバ２がネットワーク３により接続されてなり、デジタルカメラ１Ａ〜１Ｄにおいて取得した画像データをカメラサーバ２に送信し、カメラサーバ２において画像データの保管および管理を行うものである。なお、本実施形態においては、ネットワーク３は無線ＬＡＮを用いるものとするが、デジタルカメラ１Ａ〜１Ｄを互いに遠隔操作できるものであれば、いかなるネットワークを用いてもよい。
【００１８】
　本実施形態においては、デジタルカメラ１Ａをマスターカメラ、デジタルカメラ１Ｂ，１Ｃ，１Ｄをスレーブカメラと設定し、デジタルカメラ１Ａにおいて撮影動作を行うと、これと同時にデジタルカメラ１Ｂ，１Ｃ，１Ｄにおいて撮影を行うように、デジタルカメラ１Ｂ，１Ｃ，１Ｄの動作が制御されるものとする。
【００１９】
　なお、マスターカメラに設定されたデジタルカメラ１Ａは、デジタルカメラ１Ｂ，１Ｃ，１Ｄに撮影を行わせることなく単独で撮影を行うことが可能である。また、スレーブカメラに設定されたデジタルカメラ１Ｂ，１Ｃ，１Ｄは、デジタルカメラ１Ａからの撮影指示を受けることなく、単独で撮影を行うことが可能である。ここで、各デジタルカメラ１Ａ〜１Ｄが単独で撮影することにより取得した画像データは、カメラサーバ２に送信してもよいが、各デジタルカメラ１Ａ〜１Ｄのメモリカードに保管しておいてもよい。
【００２０】
　図２はデジタルカメラ１Ａの構成を示す背面斜視図である。なお、デジタルカメラ１Ｂ，１Ｃ，１Ｄはデジタルカメラ１Ａと同一の構成を有するため説明を省略する。図２に示すようにデジタルカメラ１Ａは、撮影しようとしている画像やメニュー等の種々の表示を行うモニタ１１と、シャッタボタン１２と、無線ＬＡＮによる通信を行う無線ＬＡＮチップ１３と、種々の入力を行う十字キー１４Ａを含む入力手段１４と、音声出力を行うスピーカ１５とを備えてなる。また、デジタルカメラ１Ａの内部には、シャッタボタン１２の半押し動作により、撮影通知情報をデジタルカメラ１Ｂ，１Ｃ，１Ｄに送信する撮影通知手段１６および時計としての機能と入力手段１４の操作により時刻を合わせを行うための時刻合わせ信号を無線ＬＡＮチップ１３経由でネットワーク３へ出力する機能とを有するタイマー手段１７を備える。
【００２１】
　モニタ１１には、デジタルカメラ１Ａ自身が撮影しようとしている画像およびデジタルカメラ１Ｂ，１Ｃ，１Ｄが撮影しようとしている画像の双方が表示される。図３は、モニタ１１に表示される画像を示す図である。図３に示すように、モニタ１１には、デジタルカメラ１Ａが撮影しようとする画像を表示するウィンドウ１１Ａおよびデジタルカメラ１Ｂ，１Ｃ，１Ｄが撮影しようとする画像を表示するウィンドウ１１Ｂ，１１Ｃ，１１Ｄが表示される。なお、図３に示すようにウィンドウ１１Ａはデジタルカメラ１Ａが撮影しようとする画像であるため、他のウィンドウ１１Ｂ，１１Ｃ，１１Ｄと比較してサイズが大きいものとなっている。
【００２２】
　ここで、他のウィンドウ１１Ｂ，１１Ｃ，１１Ｄはウィンドウ１１Ａと比較してサイズが小さいため、表示された画像が見にくい場合がある。このため、ウィンドウ１１Ｂ，１１Ｃ，１１Ｄには、撮影しようとする画像の中心部分のみを表示してもよい。また、入力手段１４により選択したウィンドウ１１Ｂ，１１Ｃ，１１Ｄを拡大してモニタ１１に表示してもよい。
【００２３】
　また、図４に示すように、デジタルカメラの数に応じて単にモニタ１１の画面を分割して、各デジタルカメラ１Ａ〜１Ｄにおいて撮影しようとする画像を表示してもよい。
【００２４】
　シャッタボタン１２は、半押し動作によりフォーカスおよび測光を行い、全押し動作によりシャッタを駆動して撮影を行うものである。ここで、本実施形態においては、シャッタボタン１２の半押し動作により、撮影通知手段１６が駆動され、無線ＬＡＮチップ１３からネットワーク３経由で、デジタルカメラ１Ｂ，１Ｃ，１Ｄに対して撮影通知情報が送信される。撮影通知情報はこれから撮影が行われることをデジタルカメラ１Ｂ，１Ｃ，１Ｄに通知するための情報であり、デジタルカメラ１Ｂ，１Ｃ，１Ｄは、撮影通知情報に基づいてデジタルカメラ１Ｂ，１Ｃ，１Ｄのユーザに撮影通知を行う。
【００２５】
　具体的には、チャイム音、ビープ音、「撮影します」、「カメラを構えて下さい」の音声をデジタルカメラ１Ｂ，１Ｃ，１Ｄのスピーカ１５から出力させることにより撮影通知を行えばよい。また、デジタルカメラ１Ｂ，１Ｃ，１Ｄのモニタ１１に、「撮影します」、「カメラを構えて下さい」等のメッセージを表示して撮影通知を行ってもよく、メッセージと音声とを組み合わせて撮影通知を行ってもよい。さらには、モニタ１１自体を点滅させたり、モニタ１１の表示色を反転させたり、カメラ自体を振動させる等して撮影通知を行ってもよい。
【００２６】
　そしてこのように撮影通知が行われた後、デジタルカメラ１Ａのシャッタボタン１２を全押しすることにより、デジタルカメラ１Ａにおいて撮影が行われるとともに、デジタルカメラ１Ｂ，１Ｃ，１Ｄにおいても同時に撮影が行われる。なお、撮影のタイミングは同時のみならず、一定時間遅延させて、順次デジタルカメラ１Ｂ，１Ｃ，１Ｄにおいて連続した撮影を行わせるものであってもよい。
【００２７】
　無線ＬＡＮチップ１３は、無線ＬＡＮによるネットワーク３経由の通信を行うためのものであり、通信に必要な認証情報を記憶するメモリ、通信インターフェース等を備えてなるものである。
【００２８】
　タイマー手段１７は、撮影により取得された画像データに撮影時刻を表す撮影日時情報を付与するために時計としての機能を有する。また、タイマー手段１７は、デジタルカメラ１Ａのタイマー手段１７の時刻に、他のデジタルカメラ１Ｂ，１Ｃ，１Ｄのタイマー手段１７の時刻を合わせるための時刻合わせ信号を出力する。この時刻合わせ信号は無線ＬＡＮチップ１３からネットワーク３を介してデジタルカメラ１Ｂ，１Ｃ，１Ｄに送信される。デジタルカメラ１Ｂ，１Ｃ，１Ｄのタイマー手段１７は、受信した時刻合わせ信号に基づいて時刻合わせを行う。これにより、全てのデジタルカメラ１Ａ〜１Ｄのタイマー手段１７の時刻がデジタルカメラ１Ａのタイマー手段１７の時刻に合わせられる。
【００２９】
　カメラサーバ２は、デジタルカメラ１Ａ〜１Ｄにおいて取得された画像データを保管および管理するためのものであり、大容量のハードディスク２Ａを備えてなる。すなわち、デジタルカメラ１Ａが撮影を行うことにより、デジタルカメラ１Ｂ，１Ｃ，１Ｄにおいて撮影が行われて、各デジタルカメラ１Ａ〜１Ｄにおいて同時に４つの画像データが取得されるが、各デジタルカメラ１Ａ〜１Ｄからは画像データがカメラサーバ２に送信されて、ここで画像データが保管される。
【００３０】
　また、カメラサーバ２は、遠隔操作が行われるデジタルカメラ１Ａ〜１Ｄの機種、カメラを識別するＩＤ、マスターカメラかスレーブカメラであるかの情報を管理する。また、本実施形態においては、１度の撮影により４つの画像データがカメラサーバ２に送信されるが、カメラサーバ２は重複しないようにファイル名を画像データに付与して画像データを保管する。また、保管される画像データがいずれのデジタルカメラ１Ａ〜１Ｄにおいて取得されたものであるかが分かるように、画像データを管理する。
【００３１】
　次いで、本実施形態において行われる処理について説明する。図５は、本実施形態において時刻合わせ時に行われる処理を示すフローチャートである。まず、マスターカメラであるデジタルカメラ１Ａにより、時刻合わせのための入力が入力手段１４において行われたか否かが監視されており（ステップＳ１）、ステップＳ１が肯定されると、タイマー手段１７から時刻合わせ信号が出力されて無線ＬＡＮチップ３からネットワーク３経由でスレーブカメラであるデジタルカメラ１Ｂ，１Ｃ，１Ｄに時刻合わせ信号が送信される（ステップＳ２）。デジタルカメラ１Ｂ，１Ｃ，１Ｄにおいては時刻合わせ信号が受信され（ステップＳ３）、時刻合わせ信号に基づいて、デジタルカメラ１Ｂ，１Ｃ，１Ｄのタイマー手段１７において時刻合わせが行われ（ステップＳ４）、処理を終了する。
【００３２】
　図６は、本実施形態において撮影時に行われる処理を示すフローチャートである。まず、デジタルカメラ１Ａにより、シャッタボタン１２が全押しされて撮影指示がなされたか否かが監視されており（ステップＳ１１）、ステップＳ１１が肯定されると、デジタルカメラ１Ａにより撮影が行われ（ステップＳ１２）、タイマー手段１７が参照されて撮影により取得された画像データに撮影日時情報が付与されて（ステップＳ１３）、撮影日時情報が付与された画像データがカメラサーバ２に送信される（ステップＳ１４）。
【００３３】
　これと同時に、他のデジタルカメラ１Ｂ，１Ｃ，１Ｄにより撮影が行われ（ステップＳ１５）、タイマー手段１７が参照されて撮影により取得された画像データに撮影日時情報が付与されて（ステップＳ１６）、撮影日時情報が付与された画像データがカメラサーバ２に送信される（ステップＳ１７）。
【００３４】
　そして、カメラサーバ２においては画像データが受信され（ステップＳ１８）、受信された画像データが保管され（ステップＳ１９）、処理を終了する。
【００３５】
　このように、本実施形態においては、全てのデジタルカメラ１Ａ〜１Ｄの時刻が合わせられるため、デジタルカメラ１Ａ〜１Ｄのそれぞれにより取得される画像データに付与される撮影日時情報により表される撮影時刻は、デジタルカメラ１Ａのタイマー手段１７の時刻を基準として計時された撮影時刻と一致することとなる。したがって、画像データに付与された撮影日時情報に基づいてカメラサーバ２に保管された画像データの整理を行うことにより、実際に撮影された順序で正確に画像データを並べることができる。
【００３６】
　また、マスターカメラであるデジタルカメラ１Ａにおける入力手段１４からの入力に基づいて時刻合わせ信号をデジタルカメラ１Ｂ，１Ｃ，１Ｄに送信し、この時刻合わせ信号に基づいて、デジタルカメラ１Ｂ，１Ｃ，１Ｄのタイマー手段１７の時刻合わせを行うことにより、デジタルカメラ１Ａ〜１Ｄのそれぞれにより取得される画像データに付与される撮影日時情報により表される撮影時刻と、デジタルカメラ１Ａのタイマー手段１７の時刻を基準として計時された撮影時刻とを確実に一致させることができる。
【００３７】
　なお、上記実施形態においては、デジタルカメラ１Ａにおける入力手段１４への時刻合わせの入力に基づいて、時刻合わせ信号をデジタルカメラ１Ｂ，１Ｃ，１Ｄに送信してデジタルカメラ１Ａ〜１Ｄのタイマー手段１７の時刻合わせを行っているが、時刻合わせの入力を行うことなく、例えばデジタルカメラ１Ａのタイマー手段１７における毎定時あるいは決まった時刻に時刻合わせ信号をデジタルカメラ１Ｂ，１Ｃ，１Ｄに送信してデジタルカメラ１Ａ〜１Ｄのタイマー手段１７の時刻合わせを行ってもよい。
【００３８】
　また、上記実施形態においては、デジタルカメラ１Ａのタイマー手段１７の時刻にデジタルカメラ１Ｂ，１Ｃ，１Ｄのタイマー手段１７の時刻を合わせているが、カメラサーバ２からデジタルカメラ１Ａ〜１Ｄに時刻合わせ信号を送信して、カメラサーバ２の時刻にデジタルカメラ１Ａ〜１Ｄのタイマー手段１７の時刻を合わせるようにしてもよい。
【００３９】
　また、上記実施形態においては、デジタルカメラ１Ａのタイマー手段１７の時刻にデジタルカメラ１Ｂ，１Ｃ，１Ｄのタイマー手段１７の時刻を合わせているが、デジタルカメラ１Ａ〜１ＤにＧＰＳ衛星からの測位用電波を受信するＧＰＳ手段を設け、測位用電波に含まれる時刻情報に基づいてデジタルカメラ１Ａ〜１Ｄのタイマー手段１７の時刻合わせを行ってもよい。なお、測位用電波の受信は、デジタルカメラ１Ａにおける入力手段１４の操作に基づく測位用電波を受信させるための信号のデジタルカメラ１Ｂ，１Ｃ，１Ｄへの送信、または毎定時もしくは決まった時刻に行えばよい。
【００４０】
　また、タイマー手段１７に時刻情報を有する標準電波を受信する機能を設け、この標準電波を受信することにより時刻合わせを行ってもよい。なお、標準電波の受信は、デジタルカメラ１Ａにおける入力手段１４の操作に基づく標準電波を受信させるための信号のデジタルカメラ１Ｂ，１Ｃ，１Ｄへの送信または毎定時もしくは決まった時刻に行えばよい。
【００４１】
　また、上記実施形態においては、カメラサーバ２においてデジタルカメラ１Ａ〜１Ｄにより取得された画像データを保管しているが、カメラサーバ２を設けることなく、マスターカメラであるデジタルカメラ１Ａにおいて、自身が取得した画像データおよび他のデジタルカメラ１Ｂ，１Ｃ，１Ｄが取得した画像データを保管してもよい。この場合、デジタルカメラ１Ｂ，１Ｃ，１Ｄからは、デジタルカメラ１Ａに直接画像データが送信される。なお、任意の１のスレーブカメラに、他のスレーブカメラおよびマスターカメラであるデジタルカメラ１Ａから画像データを直接送信し、その１のスレーブカメラにおいて画像データを保管してもよい。この場合、デジタルカメラ１Ａ〜１Ｄ間の通信は、図７に示すように、デジタルカメラ１Ａ〜１Ｄ同士で直接データのやりとりを行うピア・ツー・ピア通信方式を用いればよい。なお、ピア・ツー・ピア通信方式においては、デジタルカメラ１Ａ〜１Ｄ間のデータ転送は、データを発信するデジタルカメラから送信先のデジタルカメラへ向けて直接情報パケットを転送することにより行われる。
【００４２】
　また、上記実施形態において、マスターカメラおよびスレーブカメラの関係を各デジタルカメラ１Ａ〜１Ｄにおいて任意に切り替えられるようにしてもよい。
【００４３】
　また、上記実施形態においては、デジタルカメラ１Ａ〜１Ｄを用いた遠隔カメラシステムについて説明しているが、携帯電話、ＰＤＡ等のカメラ付きの携帯端末装置を用いて遠隔カメラシステムを構成することも可能である。この場合、カメラ付きの携帯端末装置とデジタルカメラとが混在したシステムであってもよい。なお、カメラ付き携帯端末装置はデジタルカメラ１Ａ〜１Ｄとは異なり、専用のシャッタボタンを含む撮影のための各種操作を行うための専用のボタンが設けられず、携帯端末装置の操作ボタンが撮影のための各種操作を行うボタンを兼用してなるものである。
【図面の簡単な説明】
【００４４】
【図１】本発明の実施形態による撮像装置制御装置を用いた遠隔カメラシステムの構成を示す概略ブロック図
【図２】デジタルカメラの構成を示す背面斜視図
【図３】モニタに表示される画像を示す図
【図４】デジタルカメラの数に応じて分割されたモニタの画面を示す図
【図５】本実施形態において時刻合わせ時に行われる処理を示すフローチャート
【図６】本実施形態において撮影時に行われる処理を示すフローチャート
【図７】ピア・ツー・ピアの通信方式を説明するための図
【符号の説明】
【００４５】
　　　１Ａ〜１Ｄ　　デジタルカメラ
　　　２　　カメラサーバ
　　　３　　ネットワーク
　　　１１，２Ａ　　モニタ
　　　１２　　シャッタボタン
　　　１３　　無線ＬＡＮチップ
　　　１４　　入力手段
　　　１５　　スピーカ
　　　１６　　撮影通知手段
　　　１７　　タイマー手段
【図１】
2004140797.tif 000003
【図２】
2004140797.tif 000004
【図３】
2004140797.tif 000005
【図４】
2004140797.tif 000006
【図５】
2004140797.tif 000007
【図６】
2004140797.tif 000008
【図７】
2004140797.tif 000009